(57)【要約】【課題】キャップを取付具に対して寸法調整可能に取り付けることができるようにすることにより壁の隅角部での歪を吸収して体裁よくキャップを取り付けることができる手摺用下地のエンドキャップ取付装置を提供すること。【解決手段】手摺用下地の端面に固定される取付具とこの取付具に嵌着される上下片と直交方向の側片を有するキャップとから構成され、前記取付具には前記キャップの上下片の内面に形成されたガイド溝に嵌合する上下一対のガイド爪と該キャップの一方の側片内面に形成された複数の係合溝に噛合する複数の係合溝を形成した係合片を形成したことを特徴とする。【選択図】図１
2013117148.tif 000002
【特許請求の範囲】
【請求項１】
手摺用下地の端面に固定される取付具とこの取付具に嵌着される上下片と直交方向の側片を有するキャップとから構成され、前記取付具には前記キャップの上下片の内面に形成されたガイド溝に嵌合する上下一対のガイド爪と該キャップの一方の側片内面に形成された複数の係合溝に噛合する複数の係合溝を形成した係合片を形成したことを特徴とする手摺用下地のエンドキャップ取付装置。
【発明の詳細な説明】
【技術分野】
【０００１】  本発明は、主としてリフォームの際に使用される手摺用下地の端部に嵌着して取り付けることができるコーナーキャップに兼用できるエンドキャップの取付装置に関するものである。
【発明の開示】
【発明が解決しようとする課題】
【０００２】  通常、手摺は、人が全体重をかけて引いたり、寄りかかたりするため、階段等の手摺の取り付け予定個所には力板と呼ばれる下地材が必要で、新築の建物の場合は、壁の施工前に下地材を予め取り付けておくので、壁の表面に現れることはないが、手摺のない古い建物を手摺付きの建物にリフォームするときには手摺を設置する必要のある個所の壁面に下地材を後付け固定する必要がある。【０００３】  前記後付けの下地材の場合、下地材は壁の表面に現れるので、下地材の終端部やコーナー部での下地材の端面が見えて体裁が悪いという問題点があった。【０００４】  この問題点を解消するために、手摺の下地材に固定された取付具に合成樹脂製のキャップを嵌着固定したりして対応していた。【０００５】  然しながら、このような固定式のキャップの取り付け方では寸法の調整ができないので、壁の隅角部では僅かな歪で直交する下地材との間で隙間が生じて体裁が悪くなるという問題点があった。【０００６】  本発明は、キャップを取付具に対して寸法調整可能に取り付けることができるようにすることにより壁の隅角部での歪を吸収して体裁よくキャップを取り付けることができる手摺用下地のエンドキャップ取付装置を提供することにある。
【課題を解決するための手段】
【０００７】  本発明の手摺用下地のエンドキャップ取付装置は、手摺用下地の端面に固定される取付具とこの取付具に嵌着される上下片と直交方向の側片を有するキャップとから構成され、前記取付具には前記キャップの上下片の内面に形成されたガイド溝に嵌合する上下一対のガイド爪と該キャップの一方の側片内面に形成された複数の係合溝に噛合する複数の係合溝を形成した係合片を形成したことを特徴とするものである。
【発明の作用】
【０００８】  本発明の手摺用下地のエンドキャップ取付装置では、手摺用下地の端面に固定された取付具にガイド爪と複数の係合溝を形成した係合片とキャップの係合溝同士の噛合の作用によりキャップを寸法調節しながら手摺用下地の終端で体裁よく取り付けることができる。
【実施例】
【０００９】  図１は、本発明装置の取り付け状態を表す分解斜視図、図２は、本発明装置を構成する取付具の斜視図、図３は、本発明装置を構成するキャップの斜視図、図４は、同キャップの要部を示す透視図、図５は、係合溝同士の噛合状態を表す要部拡大断面図、図６は、本発明装置によって手摺用下地の端部を処理した状態を表す斜視図である。【００１０】  図１、２、３において、１は、手摺下地材Ｓの端部にネジ等で固定される取付具で、後述するキャップのガイド溝に嵌入するガイド爪１−１と該キャップの側片の内面に形成された複数の係合溝に噛合する複数の係合溝１−２ａを形成した上下一対の係止片１−２と手摺下地材Ｓの端部に取り付ける際の位置合わせ用の爪片１−３が形成されている。【００１１】  ２は、前記取付具１に嵌着される合成樹脂製のキャップで、上、下片２−１、２−１と直交する側片２−２、２−２とから構成され、上、下片２−１、２−１の内面には前記取付具１のガイド爪１−１、１−１がそれぞれ嵌入するガイド溝２−１ａ及び位置合わせ用の爪片１−３を納めるための凹部が連続的に形成されているが、取付具１に位置合わせ用の爪片１−３を必要としない場合は前記ガイド溝２−１ａに連続する凹部は不要である。【００１２】  キャップ２の一方の側片２−２の内面には前記係合片１−２の複数の係合溝１−２ａに噛合する複数の係合溝２−２ａが形成されている。【００１３】  本発明装置の具体的用法は、先ず取付具１を壁面に敷設された手摺下地材Ｓの端面に位置合わせ用の爪片１−３を利用してネジにて固定し、上下のガイド爪１−１、１−１に向かってガイド溝２−１ａ、２−１ａが嵌入するようにキャップ２を差し入れると、ガイド爪１−１、１−１の先端がキャップ２の上、下片２−１、２−１を一旦押し広げて溝に嵌ると同時に取付具１のそれぞれの係合片１−２の複数の係合溝１−２ａにキャップ２の側板２−２内面に形成された複数の係合溝２−２ａが噛み合ってその差し入れて手を止めた位置で固定される。【００１４】  前記位置で手摺下地材Ｓの端面との間に隙間があるときは、更に押し込んで隙間が生じないようにしてキャップが体裁よく取り付けられるもので、このように寸法調節ができるので、特に手摺下地材Ｓの端面同士が直交するコーナー部で生じる隙間等の不体裁は吸収できるものである。
【発明の効果】
【００１５】  以上述べたように、本発明の手摺用下地のエンドキャップ取付装置によれば、手摺用下地の端面に固定される取付具とこの取付具に嵌着される上、下片と直交方向の側片を有するキャップとから構成され、前記取付具には前記キャップの上、下片の内面に形成されたガイド溝に嵌合する上下一対のガイド爪と該キャップの一方の側片内面に形成された複数の係合溝に噛合する複数の係合溝を形成した係合片を形成したもので、手摺用下地の端面に固定された取付具にガイド爪と複数の係合溝を形成した係合片とキャップの係合溝同士の噛合の作用によりキャップを寸法調節しながら手摺用下地の終端で体裁よく取り付けることができ、特に手摺下地材の端面同士が直交するコーナー部で生じる隙間等の不体裁は吸収できる効果を奏し得るものである。
【図面の簡単な説明】
【００１６】
【図１】  本発明装置の取り付け状態を表す分解斜視図である。
【図２】  本発明装置を構成する取付具の斜視図である。
【図３】  本発明装置を構成するキャップの斜視図である。
【図４】  同キャップの要部を示す透視図である。
【図５】  係合溝同士の噛合状態を表す要部拡大断面図である。
【図６】  本発明装置によって手摺用下地の端部を処理した状態を表す斜視図である。
【符号の説明】
【００１７】１      取付具
２      キャップ
【図１】
2013117148.tif 000003
【図２】
2013117148.tif 000004
【図３】
2013117148.tif 000005
【図４】
2013117148.tif 000006
【図５】
2013117148.tif 000007
【図６】
2013117148.tif 000008